(57)【要約】【課題】  複数のラインカードコネクタを複数のファブリックカードコネクタと整列させることができるサーバ装置を提供する。【解決手段】  このサーバ装置に使用されるグリッドは、アレイ型フレームスロットを定義するように交差する複数のストリップを有する。【選択図】図６
2019046433.tif 000002
【特許請求の範囲】
【請求項１】
アレイ型フレームスロットを定義する交差する複数のストリップを有し、それぞれの前記スロットがラインカードの第１のコネクタ素子及びファブリックカードの第２のコネクタ素子を受けることができるようなサイズに設計され、第１の方向に沿って互いに平行関係で仕切られる第１グループのラインカードと、前記第１の方向に実質的に垂直な第２の方向に沿って互いに平行関係で仕切られる第２グループのファブリックカードを支持するグリッドと、
空気がグリッドを通過することを許容するように前記グリッドの中に位置する複数のエア通路と、
を含むサーバ装置。
【請求項２】
それぞれの前記ラインカードにおけるアライメントピンを受けるように、前記ストリップを通過し前記第１の方向に沿って仕切られる複数のアライメント穴と、
前記ストリップを通過し前記第２の方向に沿って仕切られ、且つそれぞれの前記ファブリックカードから延出するアライメントピンを受けるようなサイズに設計される複数のアライメント穴と、
を更に含む請求項１に記載のサーバ装置。
【請求項３】
前記グリッドは、第１の平面に位置する前記ラインカードを支持し、前記ファブリックカードは、前記第１の平面に実質的に垂直な第２の平面に位置する請求項１に記載のサーバ装置。
【請求項４】
第１の方向に沿って互いに仕切られ平行して隔たれる関係で設けられ、それぞれ第１グループ第１類の電気コネクタを有する第１の数のラインカードと、
第２の方向に沿って互いに仕切られ平行して隔たれる関係で設けられ、前記第２の方向が前記第１の方向に実質的に垂直になり、それぞれ第２グループ第２類の電気コネクタを有し、それぞれの前記第２類の電気コネクタがそれぞれの前記第１類の電気コネクタに結合されて電気カプラを形成する第２の数のファブリックカードと、
アレイ型フレームスロットを定義する交差する複数のストリップを有し、それぞれの前記電気カプラが前記スロットの１つに配置されその中に支持されるグリッドと、
を含むサーバ装置。
【請求項５】
それぞれの前記第１の数のラインカード及びそれぞれの前記第２の数のファブリックカードの上にあるアライメントピンを更に含む請求項４に記載のサーバ装置。
【請求項６】
それぞれの前記第１の数のラインカードにおける前記アライメントピンを受けるように、前記ストリップを通過し前記第１の方向に沿って仕切られる複数の第１のアライメント穴と、
前記ストリップを通過して前記第２の方向に沿って仕切られ、且つ前記第２の数のファブリックカードの前記アライメントピンを受けることができるようなサイズに設計される複数の第２のアライメント穴と、
を更に含む請求項４又は５に記載のサーバ装置。
【請求項７】
空気が前記グリッドを通過することを許容するように、前記グリッドにおいて複数のエア通路を更に含む請求項４に記載のサーバ装置。
【請求項８】
第２の数の電気コネクタを有する第１の数のラインカードを提供することと、
第２の数に等しい第４の数の電気コネクタを有する第３の数のファブリックカードを提供することと、
アレイ型フレームスロットを定義する交差する複数のストリップを具備し、前記アレイ型フレームスロットが第１の方向に沿って互いに仕切られる複数のフレームスロットと、ほぼ前記第１の方向に垂直な第２の方向に沿って互いに仕切られる複数のフレームスロットを有するグリッドを提供することと、
前記第１の数のラインカードを前記グリッドの一側に置き、前記第３の数のファブリックカードを前記グリッドの対向側に置くことと、
前記第１の数のラインカードを前記第１の方向に向かせ、前記第２の方向に沿って互いに平行して隔たれる関係で仕切られるようにすることと、
それぞれの前記第２の数の電気コネクタと前記フレームスロットの１つに位置合わせすることと、
前記第３の数のファブリックカードを前記第２の方向に向かせ、前記第１の方向に沿って互いに平行して隔たれる関係で仕切られるようにすることと、
それぞれの前記第４の数の電気コネクタと前記フレームスロットの１つに位置合わせすることと、
前記グリッドによって前記第２の数の電気コネクタと前記第４の数の電気コネクタを電気的結合することで、それぞれの前記電気カプラがフレームスロットの１つに位置するようにすることと、
を備えるサーバ装置の取付方法。
【請求項９】
それぞれの前記第１の数のラインカードとそれぞれの前記第３の数のファブリックカードから延出するアライメントピンを更に含む請求項８に記載のサーバ装置の取付方法。
【請求項１０】
前記ストリップを貫通し互いに仕切られる複数のアライメント穴を更に含む請求項８又は９に記載のサーバ装置の取付方法。
【発明の詳細な説明】
【技術分野】
【０００１】
本開示は、サーバ装置及びその取付方法を提供する。
【背景技術】
【０００２】
ラインカード及びファブリックカードは、例えば、キャリアルーティングシステム（ｃａｒｒｉｅｒ  ｒｏｕｔｉｎｇ  ｓｙｓｔｅｍｓ）及びコンピュータサーバにおける周知の構成要素である。一般的に、キャリアルーティングシステムは、サービスプロバイダが拡張可能なインターネットプロトコル（ｉｎｔｅｒｎｅｔ  ｐｒｏｔｏｃａｌ；ＩＰ）次世代ネットワーク（ｎｅｘｔ−ｇｅｎｅｒａｔｉｏｎ  ｎｅｔｗｏｒｋ）の基礎施設によってデータ、音声及びビデオサービスを提供するように、モジュール化設計されたものである。２つの主な部品は、互いに接続されるラインカード及びファブリックカードである。ラインカードは、例えば、音声のアナログデジタル変換及びデジタルアナログ変換、ハイパーテキストマークアップ言語（ｈｙｐｅｒｔｅｘｔ  ｍａｒｋｕｐ  ｌａｎｇｕａｇｅ；ＨＴＭＬ）プロトコルによるデータ伝送及び当業者に公知の数多くの他の機能のような多様な機能を提供する。
【０００３】
ファブリックカードによってラインカードを他の電子システムに接続し、データの衝突を防ぐように入出力装置として使用する。アレイ型のファブリックカード及びラインカードとは、典型的なサーバにおける電子部品の組立を形成するように接続され、電子部品が一般的にハウジングの中に位置する。ラインカード又はファブリックカードにおける電子素子による熱のため、ハウジングを冷却しなければならない。一般的に、ファンによってハウジングの空気を循環させて冷却を達成させる。先行技術では、普通ハウジングの後部に組み立てられる物理的なプリント回路基板によって互いに接続させる。物理的なプリント回路基板は、ラインカードを接続するポート、ファブリックカードを接続するポート、及び導電性材料によってプレートにおけるポートの間に印刷される電気経路を提供する。物理的なプリント回路基板には、ハウジングに多くの空間を必要とし、且つ冷却空気循環の障壁となることがあるという欠点がある。
【発明の概要】
【発明が解決しようとする課題】
【０００４】
本開示は、ラインカードとファブリックカードを接続し支持するための装置であって、現在使用されるプリント回路基板よりも遥かに小さな空間を利用し、冷却空気が装置を通して循環することを許容する装置を公開する。
【課題を解決するための手段】
【０００５】
本開示の一部の実施例によれば、アレイ型フレームスロットを定義する交差する複数のストリップを有し、それぞれのスロットがラインカードの第１のコネクタ素子及びファブリックカードの第２のコネクタ素子を受けることができるようなサイズに設計され、第１の方向に沿って互いに平行関係で仕切られる複数の第１のラインカードと、ほぼ第１の方向に垂直な第２の方向に沿って互いに平行関係で仕切られる複数の第２のファブリックカードを支持するグリッドと、ファブリックカードによって空気がグリッドを通過することを許容するようにグリッドの中に位置する複数のエア通路と、を含むサーバ装置を提供する。
【０００６】
本開示の一部の実施例によれば、それぞれのラインカードにおけるアライメントピンを受けるように、ストリップを通過し第１の方向に沿って仕切られる複数のアライメント穴と、ストリップを通過し第２の方向に沿って仕切られ、且つそれぞれのファブリックカードから延出するアライメントピンを受けるようなサイズに設計される複数のアライメント穴と、を更に含む。
【０００７】
本開示の一部の実施例によれば、それぞれのラインカードは、何れも複数の電気コネクタを有し、ラインカードにおけるそれぞれの電気コネクタがそれぞれのファブリックカードにおけるマッチングする電気コネクタと結合することに用いられる。
【０００８】
本開示の一部の実施例によれば、それぞれのラインカードの電気コネクタの数は、ファブリックカードの数に等しい。
【０００９】
本開示の一部の実施例によれば、グリッドは、第１の平面に位置するラインカードを支持し、ファブリックカードは、第１の平面に実質的に垂直な第２の平面に位置する。
【００１０】
本開示の一部の実施例によれば、グリッドをファブリックに付けてグリッドを支持するための接続ブラケットを更に含む。
【００１１】
本開示の一部の実施例によれば、第１の方向に沿って互いに仕切られ平行して隔たれる関係で設けられ、それぞれ第１グループ第１類の電気コネクタを有する第１の数のラインカードと、第２の方向に沿って互いに仕切られ平行して隔たれる関係で設けられ、第２の方向が第１の方向に実質的に垂直になり、それぞれ第２グループ第２類の電気コネクタを有し、それぞれの第２類の電気コネクタがそれぞれの第１類の電気コネクタに結合されて電気カプラを形成する第２の数のファブリックカードと、アレイ型フレームスロットを定義する交差する複数のストリップを有し、それぞれの電気カプラがスロットの１つに配置されその中に支持されるグリッドと、を含むサーバ装置を提供する。
【００１２】
本開示の一部の実施例によれば、それぞれの第１の数のラインカード及びそれぞれの第２の数のファブリックカードの上にあるアライメントピンを更に含む。
【００１３】
本開示の一部の実施例によれば、それぞれの第１の数のラインカードにおけるアライメントピンを受けるように、ストリップを通過し第１の方向に沿って仕切られる複数のアライメント穴と、ストリップを通過して第２の方向に沿って仕切られ、且つ第２の数のファブリックカードのアライメントピンを受けることができるようなサイズに設計される複数のアライメント穴と、を更に含む。
【００１４】
本開示の一部の実施例によれば、空気がグリッドを通過することを許容するように、グリッドにおいて複数のエア通路を更に含む。
【００１５】
本開示の一部の実施例によれば、それぞれの第１の数のラインカードがそれぞれの第２の数のファブリックカードに電気的結合される。
【００１６】
本開示の一部の実施例によれば、第２の数の電気コネクタを有する第１の数のラインカードを提供することと、第２の数に等しい第４の数の電気コネクタを有する第３の数のファブリックカードを提供することと、アレイ型フレームスロットを定義する交差する複数のストリップを具備し、アレイ型フレームスロットが第１の方向に沿って互いに仕切られる複数のフレームスロットと、ほぼ第１の方向に垂直な第２の方向に沿って互いに仕切られる複数のフレームスロットを有するグリッドを提供することと、第１の数のラインカードをグリッドの一側に置き、第３の数のファブリックカードをグリッドの対向側に置くことと、第１の数のラインカードを第１の方向に向かせ、第２の方向に沿って互いに平行して隔たれる関係で仕切られるようにすることと、それぞれの第２の数の電気コネクタとフレームスロットの１つに位置合わせすることと、第３の数のファブリックカードを第２の方向に向かせ、第１の方向に沿って互いに平行して隔たれる関係で仕切られるようにすることと、それぞれの第４の数の電気コネクタとフレームスロットの１つに位置合わせすることと、グリッドによって第２の数の電気コネクタと第４の数の電気コネクタを電気的結合することで、それぞれの電気カプラがフレームスロットの１つに位置するようにすることと、を備えるサーバ装置の取付方法を提供する。
【００１７】
本開示の一部の実施例によれば、それぞれの第１の数のラインカードとそれぞれの第３の数のファブリックカードから延出するアライメントピンを更に含む。
【００１８】
本開示の一部の実施例によれば、ストリップを貫通し互いに仕切られる複数のアライメント穴を更に含む。
【００１９】
本開示の一部の実施例によれば、それぞれのアライメントピンとそれぞれのアライメント穴に位置合わせすることを更に含む。
【００２０】
本開示の一部の実施例によれば、２つのアライメントピンはそれぞれのラインカードとファブリックカードから延出する。
【００２１】
本開示の一部の実施例によれば、グリッドは複数のエア通路を含む。
【００２２】
本開示の一部の実施例によれば、グリッドはグリッドをファブリックに付けるための接続ブラケットを含む。
【００２３】
本開示の一部の実施例によれば、第１の数は２〜１０である。
【００２４】
本開示の一部の実施例によれば、第２の数は２〜１０である。
【図面の簡単な説明】
【００２５】
本発明を理解させるために、添付図面及び添付ファイルを参照して実施例で本開示を説明する。
【図１】複数のファブリックカードをグリッドに取り付ける手順を示す斜視図である。
【図２】複数のファブリックカードをグリッドに取り付ける手順を示す斜視図である。
【図３】複数のラインカードをグリッドに取り付ける手順を示す斜視図である。
【図４】複数のラインカードをグリッドに取り付ける手順を示す斜視図である。
【図５】電子部品における複数のラインカード、複数のファブリックカード及びラインカードとファブリックカードとの間に位置するグリッドを示す斜視図である。
【図６】ファブリックカードコネクタのグリッドに近いフレームスロットの一部を示す拡大図である。
【図７】ラインカードのアライメント穴を示すグリッドの正面図である。
【図８】ファブリックカードのアライメント穴を示すグリッドの正面図である。
【図９】ラインカードとファブリックカードとのコネクタを示す拡大図である。
【発明を実施するための形態】
【００２６】
本開示には数多くの異なる実施形態があってもよいが、本開示の実施例は添付図面に示され本文に詳しく説明され、理解すべきなのは、本開示は原理的な例示と見なされ、本開示の広範な態様が実施例に限定される意図がないことである。
【００２７】
図５は、グリッド１２と、複数のファブリックカード１４と、複数のラインカード１６の電子部品１０と、を有するコンピュータサーバ又はキャリアルーティングシステムの一部を示す。グリッド１２は、複数のファブリックカード１４をグリッド１２の一側に付け、複数のラインカード１６をグリッド１２の対向側に付けるように、複数のファブリックカード１４と複数のラインカード１６との間に位置する。複数のラインカード１６は、第１の方向に沿って延伸してほぼ第１の方向に垂直な第２の直交方向に沿って仕切られ、且つ互いに平行して隔たれるように設けられる。複数のファブリックカード１４は、第２の方向に沿って延伸して、第１の方向に沿って互いに平行して隔たれるように設けられる形態で仕切られる。複数のファブリックカード１４は、複数のラインカード１６に電気的結合される。グリッド１２は、必ずしも導電的ではなく、ファブリックカードとラインカードとの接続部が延伸してグリッド１２を通過する厚さである。
【００２８】
図１〜図５に示すように、グリッド１２は、普通の長方形であり、第１の方向に沿って延伸する複数の第１のストリップ２０と第１の方向に垂直な第２の方向に沿って延伸する複数の第２のストリップ２２を有し、一連の交差点２３と複数のフレームスロット２４を定義する。本実施例において、ストリップ２０は、ほぼ垂直の方向に沿って延伸し、ストリップ２２は、ほぼ水平の方向に沿って延伸する。複数のフレームスロット２４は、複数の行３０と複数の列３２の配列の中に設けられる。
【００２９】
複数の行３０は、第２の方向に沿って延伸して、第１の方向に沿って互いに仕切られる。それに対して、複数の列３２は、第１の方向に沿って延伸して、第２の方向に沿って仕切られる。実施例において、４つの行と４つの列を示すが、例えば２〜１０の列又は行のような異なる数字が予想されることができる。行３０と列３２の数は異なってもよいが、好ましくは、行３０と列３２の数との差が２以下である。フレームスロット２４は、ラインカードとファブリックカードが電気的結合ができ、且つハウジング内に正確な方向で支持されるように（未図示）、それぞれのラインカード１６とそれぞれのファブリックカード１４の電気コネクタ４４、５０（図５と図９）が適切に合わせることを確保する。好ましくは、グリッド１２は、グリッド１２と電子部品１０をハウジング内に固定するように、接続ブラケット３４を有する。
【００３０】
ラインカード１６とファブリックカード１４の電子素子については、何れも電子素子のサプライヤから得られ、且つ当業者に熟知のことであるため、詳しい説明は必要なものではない。しかしながら、一般的に、ラインカード１６は、ホストのプロセッサと、メモリ素子と、を補助してデータ処理等に用いられ、例えば、スケーラブルなネットワークを介してデータや、音声、ビデオサービスを伝送する。ファブリックカード１４は、以前の世代のバスとスイッチで常に発生するデータの衝突（ｄａｔａ  ｃｏｌｌｉｓｉｏｎ）を避けるために、データバスとして、ラインカード１６の入出力設備として使用される。それぞれのラインカード１６とファブリックカード１４は、それぞれ互いにマッチング可能な規格の電気コネクタ５０、４４（図６及び図９）を有する。
【００３１】
好ましくは、それぞれのラインカード１６とそれぞれのファブリックカード１４は、２〜１０のコネクタを有し、各類のカードにおけるコネクタ数は、等しい必要がない。より好ましくは、それぞれのラインカード１６の有するコネクタ５０の数は、ファブリックカード１４の数に等しく、そしてそれぞれのファブリックカード１４の有するコネクタ４４の数は、ラインカード１６の数に等しい。このため、電子部品１０において、すべてのラインカード１６は、すべてのファブリックカード１４に接続される。ラインカード１６のコネクタ５０の合計は、ファブリックカード１４のコネクタ４４の合計に等しい。
【００３２】
図６に示すように、好ましくは、それぞれのラインカード１６及びファブリックカード１４は、グリッド１２におけるストリップ２０、２２を貫通するアライメント穴４２に挿入するためのアライメントピン４０を有する。例えば１〜１０、より好ましくは２〜８、最も好ましくは３〜６、或いは他の範囲又は他の組み合わせ範囲での如何なる適切な数のアライメントピン４０を提供してもよい。アライメントピン４０は、グリッド１２におけるアライメント穴４２に挿入することに用いられる。好ましくは、アライメント穴４２の数は、アライメントピン４０の数以上である。アライメントピン４０がアライメント穴４２に挿入される場合、コネクタ４４、５０（図９）はフレームスロット２４の中に位置決めされる。また、アライメントピン４０は、アライメント穴４２に接合されるようなサイズに設計されて、ラインカード１６とファブリックカード１４が取り外し可能にグリッド１２の対向する両側に付けられる。アライメントピン４０とアライメント穴４２のこのような協同接合により、ラインカード１６及びファブリックカード１４が適切な位置と方向に支持し保持される。
【００３３】
図６は、フレームスロット２４の中に位置するファブリックカード１４におけるコネクタ４４とファブリックカード１４から延伸しアライメント穴４２を通過するアライメントピン４０を示す。コネクタ４４とストリップ２２との間のエア通路４６は、グリッド１２を流れる冷却空気流を提供してラインカード、ファブリックカードとハウジングを冷却する。図５、図６及び図９は、フレームスロット２４の中に配置される電気カプラを形成するように、ファブリックカード１４のコネクタ４４に結合されるラインカード１６のコネクタ５０を示す。一実施例において、電子部品１０は、グリッド１２によって接続される４つのラインカード１６と４つのファブリックカード１４からなる。電子部品１０は、コンピュータネットワーク（未図示）に接続される。コンピュータネットワークは、当業者に熟知のインターネット又はローカルエリアネットワーク又は他の電力網であってもよい。
【００３４】
図７及び図８は、グリッド１２の細部図を示し、長方形６０（図７）により囲まれるラインカード１６のアライメント穴４２、及び長方形６２（図８）により囲まれるファブリックカード１４のアライメント穴４２がある。グリッド１２の底列６６は、グリッド１２及び接続されるファブリックカード１４、ラインカード１６を基板に接続することに用いられる。
【００３５】
サーバ又はキャリアルーティングシステム或いは他の電子システムを取り付ける例示的な方法は、（１）第２の数の電気コネクタ５０を有する第１の数のラインカード１６を提供することと、（２）第１の数の電気コネクタ４４を有する第２の数のファブリックカード１４を提供することと、（３）アレイ型フレームスロット２４を定義する交差する複数のストリップ２２を有するグリッド１２を提供し、アレイ型フレームスロット２４が第１の方向に沿って互いに仕切られる第２の数のフレームスロットと、ほぼ第１の方向に垂直な第２の方向に沿って互いに仕切られる第１の数のフレームスロットを有することと、（４）第１の数のラインカード１６をグリッド１２（図３と図４）の一側に置き、第２の数のファブリックカード１４をグリッド１２（図１と図２）の対向側に置くことと、（５）第１の数のラインカード１６を第１の方向に沿って配向させ、第２の方向に沿って互いに仕切られ、且つ互いに平行の関係で仕切られるようにすることと、（６）ラインカード１６におけるそれぞれの第２の数の電気コネクタ５０とフレームスロット２４（図３と図４）を位置合わせすることと、（７）第２の数のファブリックカード１４を第２の方向に沿って配向させ、前記第１の方向に沿って互いに仕切られ、且つ互いに平行の関係で仕切られるようにすることと、（８）ファブリックカード１４におけるそれぞれの第１の数のコネクタ４４とフレームスロット２４（図１及び図２）を位置合わせすることと、（９）第２の数の電気コネクタ５０と第１の数の電気コネクタ４４をグリッド１２によって電気的結合し、それぞれの電気カプラがフレームスロット２４に位置することと、を備える。
【００３６】
アライメントピン４０がアライメント穴４２に挿入される場合、コネクタ４４、５０はフレームスロット２４の中に位置付けされる。また、アライメントピン４０は、アライメント穴４２に取り外し可能に接合されるようなサイズに設計されて、ラインカード１６とファブリックカード１４をグリッド１２の対向側に取り外し可能に付け、そしてラインカード１６とファブリックカード１４を適切な位置と方向に支持し保持する。
【００３７】
好ましくは、それぞれの第１の数のラインカード１６とそれぞれの第２の数のファブリックカード１４から延伸するアライメントピン４０を有する。１〜１０、より好ましくは２〜８、最も好ましくは３〜６、或いは他の範囲又は他の組み合わせ範囲での如何なる適切な数のアライメントピン４０を提供してもよい。アライメントピン４０がアライメント穴４２に挿入される場合、コネクタ４４、５０はフレームスロット２４の中に位置付けされる。また、アライメントピン４０は、アライメント穴４２に取り外し可能に接合されるようなサイズに設計されて、ラインカード１６とファブリックカード１４をグリッド１２の対向側に取り外し可能に付け、そしてラインカード１６とファブリックカード１４を適切な位置と方向に支持し保持する。ストリップ２２を貫通するアライメント穴４２の数は、アライメントピン４０の数以上である。
【００３８】
本開示の一実施例は、複数のラインカードコネクタと複数のファブリックカードコネクタとを整列させる装置であって、この装置に使用されるグリッドはアレイ型フレームスロットを定義する交差する複数のストリップを有する。それぞれのフレームスロットは、ラインカードの第１のコネクタ素子及びファブリックカードの第２のコネクタ素子を受けることができるようなサイズに設計される。グリッドは、第１の方向に沿って互いに平行して隔たれる関係で仕切られる第１グループのラインカードを支持し、第２グループのファブリックカードは、ほぼ第１の方向に垂直な第２の方向に沿って且つ互いに平行して隔たれる関係で仕切られる。グリッドには、空気がグリッドを通過することを許容するように複数のエア通路を有する。
【００３９】
別の実施例は、ラインカードとファブリックカードとをハウジングにおいて電気的結合する部品である。この部品は、ハウジングにおいて第１の数のラインカードを有し、第１の方向に沿って互いに仕切られ、且つ平行して隔たれる関係で設けられ、それぞれのラインカードが第１グループ第１類の電気コネクタを有する。この部品は、またハウジングにおいて第２の数のファブリックカードを有し、第２の方向に沿って互いに仕切られ、且つ平行して隔たれる関係で設けられ、第２の方向がほぼ第１の方向に垂直になり、それぞれのファブリックカードが第２グループ第２類の電気コネクタを有する。それぞれの第２類の電気コネクタは、電気的結合を形成するようにそれぞれの第１類の電気コネクタに接続される。部品は、またアレイ型フレームスロットを定義する交差する複数のストリップを有するグリッドを具備し、それぞれの電気カプラが１つのスロットに位置付けされその中に支持される。
【００４０】
別の実施例は、（１）第２の数の電気コネクタを有する第１の数のラインカードを提供する工程と、（２）第１の数の電気コネクタを有する第２の数のファブリックカードを提供する工程と、（３）アレイ型フレームスロットを定義する交差する複数のストリップを有するグリッドを提供して、アレイ型フレームスロットが第１の方向に沿って互いに仕切られる第２の数のフレームスロットと、ほぼ第１の方向に垂直な第２の方向に沿って互いに仕切られる第１の数のフレームスロットを有する工程と、（４）第１の数のラインカードをグリッドの一側に置き、第２の数のファブリックカードをグリッドの対向側に置く工程と、（５）第１の数のラインカードを第１の方向に沿って配向させ、そして第２の方向に沿って互いに仕切られ、且つ互いに平行の関係で仕切られるようにする工程と、（６）それぞれの第２の数の電気コネクタとフレームスロットを位置合わせする工程と、（７）第２の数のファブリックカードを第２の方向に沿って配向させ、そして第１の方向に沿って互いに仕切られ、且つ互いに平行の関係で仕切られるようにする工程と、（８）それぞれの第１の数のコネクタとフレームスロットを位置合わせする工程と、（９）第２の数の電気コネクタと第１の数の電気コネクタをグリッドによって電気的結合し、それぞれの電気カプラがフレームスロットに位置する工程と、を備えるサーバの取付方法である。
【００４１】
上記の教示に鑑みて、本開示の数多くの修正と改変は可能である。このため、理解すべきなのは、具体的な説明以外、本開示は、添付される特許請求の範囲内で保護される。
【符号の説明】
【００４２】
１０  電子部品
１２  グリッド
１４  ファブリックカード
１６  ラインカード
２０、２２  ストリップ
２３  交差点
２４  フレームスロット
３０  行
３２  列
３４  接続ブラケット
４０  アライメントピン
４２  アライメント穴
４４、５０  コネクタ
４６  エア通路
６０、６２  長方形
６６  底列
【図１】
2019046433.tif 000003
【図２】
2019046433.tif 000004
【図３】
2019046433.tif 000005
【図４】
2019046433.tif 000006
【図５】
2019046433.tif 000007
【図６】
2019046433.tif 000008
【図７】
2019046433.tif 000009
【図８】
2019046433.tif 000010
【図９】
2019046433.tif 000011
【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
アレイ型フレームスロットを定義する交差する複数のストリップを有し、それぞれの前記フレームスロットがラインカードの第１のコネクタ素子及びファブリックカードの第２のコネクタ素子の電気カプラを受けて位置合わせすることができるようなサイズに設計されたものであり、前記アレイ型フレームスロットが、第１の方向に沿って互いに平行関係で仕切られる第１グループのラインカードを支持して位置合わせし、前記第１の方向に実質的に垂直な第２の方向に沿って互いに平行関係で仕切られる第２グループのファブリックカードを支持して位置合わせするように構成されたものである、グリッドと、
空気がグリッドを通過することを許容するように前記グリッドの中に位置する複数のエア通路と、
を含むサーバ装置。
【請求項２】
それぞれの前記ラインカードにおけるアライメントピンを受けるように、前記ストリップを通過し前記第１の方向に沿って仕切られる複数のアライメント穴と、
前記ストリップを通過し前記第２の方向に沿って仕切られ、且つそれぞれの前記ファブリックカードから延出するアライメントピンを受けるようなサイズに設計される複数のアライメント穴と、
を更に含む請求項１に記載のサーバ装置。
【請求項３】
前記グリッドは、第１の平面に位置する前記ラインカードを支持し、前記ファブリックカードは、前記第１の平面に実質的に垂直な第２の平面に位置する請求項１に記載のサーバ装置。
【請求項４】
それぞれ第１グループ第１類の電気コネクタを有する第１の数のラインカードと、
それぞれ第２グループ第２類の電気コネクタを有し、それぞれの前記第２類の電気コネクタがそれぞれの前記第１類の電気コネクタに結合されて電気カプラを形成する第２の数のファブリックカードと、
アレイ型フレームスロットを定義する交差する複数のストリップを有し、それぞれの前記電気カプラが前記スロットの１つに配置されその中に支持されるグリッドと、
を含み、
それぞれの前記フレームスロットが、それぞれの前記第１類の電気コネクタの１つとそれぞれの前記第２類の電気コネクタの１つの前記電気カプラを受けて位置合わせすることができるようなサイズに設計されたものであり、前記アレイ型フレームスロットが、第１の方向に沿って互いに平行関係で仕切られる前記第１の数のラインカードを支持して位置合わせし、前記第１の方向に実質的に垂直な第２の方向に沿って互いに平行関係で仕切られる第２の数のファブリックカードを支持して位置合わせするように構成されたものである、サーバ装置。
【請求項５】
それぞれの前記第１の数のラインカード及びそれぞれの前記第２の数のファブリックカードの上にあるアライメントピンを更に含む請求項４に記載のサーバ装置。
【請求項６】
それぞれの前記第１の数のラインカードにおける前記アライメントピンを受けるように、前記ストリップを通過し前記第１の方向に沿って仕切られる複数の第１のアライメント穴と、
前記ストリップを通過して前記第２の方向に沿って仕切られ、且つ前記第２の数のファブリックカードの前記アライメントピンを受けることができるようなサイズに設計される複数の第２のアライメント穴と、
を更に含む請求項４又は５に記載のサーバ装置。
【請求項７】
空気が前記グリッドを通過することを許容するように、前記グリッドにおいて複数のエア通路を更に含む請求項４に記載のサーバ装置。
【請求項８】
第２の数の電気コネクタを有する第１の数のラインカードを提供することと、
第２の数に等しい第４の数の電気コネクタを有する第３の数のファブリックカードを提供することと、
アレイ型フレームスロットを定義する交差する複数のストリップを具備し、前記アレイ型フレームスロットが第１の方向に沿って互いに仕切られる複数のフレームスロットと、ほぼ前記第１の方向に垂直な第２の方向に沿って互いに仕切られる複数のフレームスロットを有するグリッドを提供することと、
前記第１の数のラインカードを前記グリッドの一側に置き、前記第３の数のファブリックカードを前記グリッドの対向側に置くことと、
前記第１の数のラインカードを前記第１の方向に向かせ、前記第２の方向に沿って互いに平行して隔たれる関係で仕切られるようにすることと、
それぞれの前記第２の数の電気コネクタと前記フレームスロットの１つに位置合わせすることと、
前記第３の数のファブリックカードを前記第２の方向に向かせ、前記第１の方向に沿って互いに平行して隔たれる関係で仕切られるようにすることと、
それぞれの前記第４の数の電気コネクタと前記フレームスロットの１つに位置合わせすることと、
それぞれの前記フレームスロットが、前記第２の数の電気コネクタの１つと前記第４の数の電気コネクタの１つの前記電気カプラを位置合わせし、前記アレイ型フレームスロットが、前記第１の方向に向き、前記第２の方向に沿って互いに平行して隔たれる関係で仕切られた前記第１の数のラインカードを支持して位置合わせし、前記第２の方向に向き、前記第１の方向に沿って互いに平行して隔たれる関係で仕切られた前記第３の数のファブリックカードを支持して位置合わせするように、前記グリッドによって前記第２の数の電気コネクタと前記第４の数の電気コネクタを電気的結合することで、それぞれの前記電気カプラがフレームスロットの１つに位置するようにすることと、
を備えるサーバ装置の取付方法。
【請求項９】
それぞれの前記第１の数のラインカードとそれぞれの前記第３の数のファブリックカードから延出するアライメントピンを更に含む請求項８に記載のサーバ装置の取付方法。
【請求項１０】
前記ストリップを貫通し互いに仕切られる複数のアライメント穴を更に含む請求項８又は９に記載のサーバ装置の取付方法。